(57)【要約】【課題】  羽根車の羽根が紙葉類により変形したとき、羽根が重なる部分と重ならない部分が発生しないようにし、フィード用モータの負荷変動をなくすようにする。【解決手段】  羽根車１の各羽根１ａ〜１ｄに切り欠き部１ａ'〜１ｄ'を設け、紙葉類７により各羽根１ａ〜１ｄが変形したとき、各羽根１ａ〜１ｄが重ならないようにした。或いは、羽根車１１の各羽根１１ａ〜１１ｄに凹部１１ａ'〜１１ｄ 'を設け、各羽根１１ａ〜１１ｄが紙葉類７により変形し重なったときでも、厚さが一定となるようにした。【選択図】      図１
2006206266.tif 000002
【特許請求の範囲】
【請求項１】
可撓性を有し負荷により変形する複数の羽根を有する羽根車において、
前記羽根が変形したときに、隣接する羽根と当接しない逃げ部を設けたことを特徴とする羽根車。
【請求項２】
前記逃げ部は、羽根に設けた切り欠き部であることを特徴とする請求項１記載の羽根車。
【請求項３】
前記逃げ部は、羽根に設けた凹部であることを特徴とする請求項１記載の羽根車。
【発明の詳細な説明】
【技術分野】
【０００１】
本発明は、紙葉類集積機構などにおいて、集積庫に送り込まれる紙葉類の後端を叩き、集積庫に集積させる羽根車に関するものである。
【背景技術】
【０００２】
従来の羽根車を用いた集積機構は、図６の構成図および図７の断面図に示したように、紙葉類７を集積する集積庫６と、矢印Ｂ方向に回転し紙葉類７を矢印Ａ方向に搬送し集積庫６内に送り込むためのフィードローラ２と、紙葉類７を集積庫６へ集積する際に紙葉類７の後端を叩いて集積させるための羽根車２０と、矢印Ｃ方向に回転しフィードローラ２に対向し押圧力を与えるプレッシャローラ３と、紙葉類７を集積庫６に送り込むためのガイドとなるロワガイド４とアッパガイド５から構成されている（例えば、特許文献１参照）。
【０００３】
そして、羽根車２０およびフィードローラ２は、図７に示したように図示しない駆動部により回転駆動されるシャフト２ａに取り付けられ、ともに図６中矢印Ｂ方向に回転する構成となっている。
【０００４】
そして、羽根車２０としては、図８に示したように、紙葉類７の後端を確実に叩くために、羽根２０ａ〜２０ｄは一定の長さを有し、一定の時間間隔で紙葉類を叩けるように均等な角度で４枚や８枚が放射線状に配置され、材質はゴム等の可撓性のあるものが使用されていた。（例えば、特許文献２参照）。
【０００５】
そして、以上の構成により、紙葉類７がロワガイド４とアッパガイド５間を矢印Ｂ方向に搬送され、矢印Ｂ方向に回転する羽根車２０に到来すると、図６に示したように羽根車２０は紙葉類７により変形しながら、プレッシャローラ３とフィードローラ２とともに紙葉類７を集積庫６に向かって搬送し、前記フィードローラ２を離れる際に、変形した羽根車２０の復元力により紙葉類７の後端を叩き、順次、紙葉類７を集積庫６に収納するようになっていた。
【特許文献１】特開２０００−３０２３１２号公報
【特許文献２】特公平０７−９８６０５号公報
【発明の開示】
【発明が解決しようとする課題】
【０００６】
しかしながら、以上の従来の集積機構の羽根車２０では、羽根２０ａ〜２０ｄが紙葉類７の後端を叩けるようにある程度の長さを有しているので、紙葉類７が羽根車２０に到来し、紙葉類７により羽根２０ａ〜２０ｄが変形すると、羽根２０ａ〜２０ｄが重なる部分と重ならない部分が発生する。
【０００７】
このため、フィードローラ２を駆動させる図示しないモータ等の負荷変動が大きくなり、モータの回転数が一定せず、回転むらが発生したり、ステッピングモータなどを使用した場合では、モータの脱調を引き起こしたりし、その結果、集積不良が発生してしまうという問題があった。
【課題を解決するための手段】
【０００８】
本発明は、前述の課題を解決するため次の構成を採用する。すなわち、可撓性を有し負荷により変形する複数の羽根を有する羽根車において、前記羽根が変形したときに、隣接する羽根と当接しない逃げ部を設けた。
【発明の効果】
【０００９】
本発明の羽根車によれば、羽根が変形したときに、隣接する羽根と当接しない逃げ部を設け、一定の厚さとなるようにしたので、モータ等の駆動源にかかる負荷を一定に保つことができ、回転むらやステッピングモータを使用した場合の脱調を防ぎ、媒体の集積不良を防止することができる。
【発明を実施するための最良の形態】
【００１０】
以下、本発明に係る実施の形態例を、図面を用いて説明する。なお図面に共通する要素には同一の符号を付す。
【実施例１】
【００１１】
実施例１の羽根車は、羽根車の各羽根に切り欠き部を設け、紙葉類７により変形した状態でも、羽根が重なる部分をなくすようにしたものである。
【００１２】
実施例１の羽根車を有する集積機構は、図１に示したように、紙葉類７を集積する集積庫６と、矢印Ｂ方向に回転し紙葉類７を矢印Ａ方向に搬送し集積庫６内に送り込むためのフィードローラ２と、紙葉類７を集積庫６へ集積する際に紙葉類７の後端を叩いて集積させるための羽根車１と、矢印Ｃ方向に回転しフィードローラ２に対向し押圧力を与えるプレッシャローラ３と、紙葉類７を集積庫６に送り込むためのガイドとなるロワガイド４とアッパガイド５から構成されている。
【００１３】
そして、羽根車１およびフィードローラ２は、図示しない駆動部により回転駆動されるシャフト２ａに取り付けられ、ともに矢印Ｂ方向に回転する構成となっている。
【００１４】
図２は実施例１の羽根車１の形状を示す図である。同図のように、羽根１ａ〜１ｄは、羽根車１の先端部の幅を狭くし、中心側の幅を広くしてその一部に孔を開けた形状となっている。そして、先端部の幅Ｗ１が、前記孔の幅Ｗ２より小さくなるようになっている。
【００１５】
以上の構成により、実施例１の羽根車を有する集積機構は、以下のように動作する。すなわち、紙葉類７がロワガイド４とアッパガイド５間を矢印Ａ方向に搬送され、図１に示したように、矢印Ｂ方向に回転する羽根車１に到来すると、紙葉類７により羽根車１は変形しながら、プレッシャローラ３とフィードローラ２とともに紙葉類７を集積庫６に向かって搬送し、前記フィードローラ２を離れる際に、変形した羽根車１の復元力により紙葉類７の後端を叩き、順次、集積庫６に収納する。
【００１６】
以上のように、紙葉類７がフィードローラ２により集積庫６に送り込まれる状態となると、羽根車１の羽根１ａ〜１ｄは紙葉類７により変形するが、例えば、図３に示したように、羽根１ｂが羽根１ａ側に変形し重なったときは、羽根１ｂの先端が１ａの切り欠き部１ａ'の中に納まり、羽根同士が重ならないようになる。また、同様に、羽根１ｃが羽根１ｂ側に変形し重なったときは、羽根１ｃの先端が１ｂの切り欠き部１ｂ'の中に納まり、羽根同士が重ならないようになる。その他の羽根の場合も同様である。
【００１７】
従って、プレッシャローラ３、フィードローラ２間の厚さは常に一定となり、これらを駆動する図示せぬモータ等の負荷を、ほぼ一定とすることができ、回転むらやステッピングモータを使用した場合の脱調を防ぐことができる。
【００１８】
（実施例１の効果）
以上詳細に説明したように、実施例１の羽根車１によれば、羽根車１の各羽根１ａ〜１ｄに切り欠き部１ａ’〜１ｄ’を設け、紙葉類７により変形した状態でも、羽根１ａ〜１ｄが重なる部分をなくすようにしたので、モータ等にかかる負荷を一定に保つことができ、回転むらやステッピングモータ等の脱調を防ぎ、媒体の集積不良を防止することができる。
【実施例２】
【００１９】
実施例２の羽根車は、各羽根に逃げ部を設け、紙葉類により各羽根が変形した場合でも、重なった厚さが一定となるようにしたものである。
【００２０】
図４に実施例２の羽根車１１の横断面図を示し、図５に羽根車１１の羽根の１つである羽根１１ａの構造を示す。その他の羽根１１ｂ〜１１ｄの構造も同様の構造となっている。同図のように、各羽根１１ａ〜１１ｄには凹部１１ａ'〜１１ｄ'が設けられており、各羽根１１ａ〜１１ｄの先端部の幅Ｗ３が、前記凹部１１ａ'〜１１ｄ'の幅Ｗ４より小さくなっている。
【００２１】
実施例２の羽根車１１を有した集積機構では、紙葉類７がフィードローラ２により集積庫６に送り込まれる状態となると、羽根車１１の羽根１１ａ〜１１ｄは紙葉類７により変形するが、例えば、図４に示したように、シャフト２ａがＢ方向に回転し、紙葉類７により羽根１１ｂが羽根１１ａ側（矢印Ｄ方向）に変形したとき、羽根１１ｂの先端が１１ａ'の凹部１１ａ'の中に納まるので、常に一定の厚さとなる。同様に、羽根１１ｃが羽根１１ｂ側に変形し重なったときは、羽根１１ｃの先端が１１ｂの切り欠き部１１ｂ'の中に納まり、同じ厚さとなる。
【００２２】
従って、実施例１と同様、プレッシャローラ３、フィードローラ２間の厚さが常に一定となり、これらを駆動する図示せぬモータ等の負荷を、ほぼ一定とすることができ、回転むらやステッピングモータを使用した場合の脱調を防ぐことができる。
【００２３】
（実施例２の効果）
以上詳細に説明したように、実施例２の羽根車によれば、各羽根に逃げ部を設けたので、実施例１と同様の効果が得られる。
【００２４】
《その他の変形例》
以上の実施例の説明では、羽根が４枚の場合を例として説明したが、４枚よりも少なくてもよいし、４枚より多い枚数の羽根を有した羽根車の場合でも、同様に切り欠き部や凹部を設けるようにすればよい。
【産業上の利用可能性】
【００２５】
以上述べた実施例では、紙葉類の集積機構における羽根車として説明したが、本発明は、紙葉類に限らず、カード状の媒体や冊子状の媒体などの集積にも広く利用することができる。
【図面の簡単な説明】
【００２６】
【図１】実施例１の集積機構の構成図である。
【図２】実施例１の羽根車の構造図である。
【図３】実施例１の羽根車の羽根の構造図である。
【図４】実施例２の羽根車の構造図である。
【図５】実施例２の羽根車の羽根の構造図である。
【図６】従来の集積機構の構成図である。
【図７】従来の集積機構の構成図（Ｘ−Ｘ'断面図）である。
【図８】従来の羽根車の構造図である。
【符号の説明】
【００２７】
１、１１、２０    羽根車
１ａ〜１ｄ、１１ａ〜１１ｄ、２０ａ〜２０ｄ    羽根
１ａ'〜１ｄ'  切り欠き部
１１ａ'〜１１ｄ '  凹部
２    フィードローラ
２ａ  シャフト
６    集積庫
７    紙葉類
【図１】
2006206266.tif 000003
【図２】
2006206266.tif 000004
【図３】
2006206266.tif 000005
【図４】
2006206266.tif 000006
【図５】
2006206266.tif 000007
【図６】
2006206266.tif 000008
【図７】
2006206266.tif 000009
【図８】
2006206266.tif 000010